(57)【要約】【課題】  複数の光源ユニットから出射される同種類の色成分光を合成する場合において、投写面に投写される映像の表示ムラを抑制することを可能とする投写型映像表示装置を提供する。【解決手段】  投写型映像表示装置１００は、同種類の色成分光を出射する複数の光源ユニット１０を有する。複数の光源ユニット１０の構成は互いに異なる。投写型映像表示装置１００は、複数の光源ユニット１０のそれぞれを冷却する冷却ユニット２００と、複数の検出部２５０によって検出された温度に基づいて、前記冷却ユニットの冷却能力を制御する制御部３００とを備える。【選択図】  図８
2013045037.tif 000002
【特許請求の範囲】
【請求項１】
同種類の色成分光を出射する複数の光源ユニットと、前記複数の光源ユニットから出射された同種類の色成分光を合成する色合成部と、前記色合成部によって合成される光を変調する光変調素子と、前記光変調素子によって変調された光を投写面上に投写する投写ユニットとを有する投写型映像表示装置であって、
前記複数の光源ユニットのそれぞれを冷却する冷却ユニットと、
前記複数の光源ユニットのそれぞれの温度を検出する複数の検出部と、
前記複数の検出部によって検出された温度に基づいて、前記冷却ユニットの冷却能力を制御する制御部とを備えており、
前記複数の光源ユニットは、少なくとも、第１光源ユニット及び第２光源ユニットを含み、
前記第１光源ユニットの光学構成は、前記第２光源ユニットの光学構成と異なっていることを特徴とする投写型映像表示装置。
【請求項２】
前記第１光源ユニットは、第１光源と、前記第１光源から出射される光を集光するレンズとを有しており、
前記第２光源ユニットは、第２光源と、前記第２光源から出射される光を集光するレンズとに加えて、第１偏光成分を第２偏光成分に変換する位相差板を有しており、
前記色合成部は、前記第１偏光成分を反射して、前記第２偏光成分を透過する第１偏光ミラー、又は、前記第２偏光成分を反射して、前記第１偏光成分を透過する第２偏光ミラーを有することを特徴とする請求項１に記載の投写型映像表示装置。
【請求項３】
前記冷却ユニットは、前記複数の光源ユニットのそれぞれに冷却風を供給する冷却ファンを有しており、
前記制御部は、前記複数の光源ユニットのそれぞれに供給される冷却風の風量を制御することを特徴とする請求項１に記載の投写型映像表示装置。
【請求項４】
前記制御部は、前記複数の検出部の検出結果が等しくなるように、前記冷却風の風量を制御することを特徴とする請求項３に記載の投写型映像表示装置。
【請求項５】
前記冷却ファンは、複数の壁体によって構成される筐体内に配置されており、
前記複数の壁体のうち、前記色合成部によって合成される光が出射される側に設けられる壁体には、前記冷却ファンによって供給される冷却風の吸気口及び前記冷却ファンによって供給される冷却風の排気口のうち、少なくともいずれか一方を構成する開口が設けられることを特徴とする請求項３に記載の投写型映像表示装置。
【発明の詳細な説明】
【技術分野】
【０００１】
本発明は、同種類の色成分光を出射する複数の光源ユニットを備える投写型映像表示装置に関する。
【背景技術】
【０００２】
従来、光源ユニットと、光源ユニットから出射された光を変調する光変調素子と、光変調素子によって変調された光を投写面上に投写する投写ユニットとを有する投写型映像表示装置が知られている。
【０００３】
近年では、映像の高輝度化を図るために、複数の光源ユニットから出射される同種類の色成分光を合成する技術も提案されている。
【０００４】
このような投写型映像表示装置では、複数の光源ユニットを冷却するために、複数の光源ユニットのそれぞれに対応する冷却ユニットが設けられる（例えば、特許文献１）。
【先行技術文献】
【特許文献】
【０００５】
【特許文献１】特開２０１１−９０３１０号公報
【発明の概要】
【発明が解決しようとする課題】
【０００６】
ところで、複数の光源ユニットから出射される同種類の色成分光を合成する場合において、各光源ユニットが同種類の色成分光を出射するにもかかわらず、各光源ユニットの構成が互いに異なることが考えられる。このようなケースでは、各光源ユニットの発熱量が互いに異なるため、各光源ユニットを同条件で冷却すると、各光源ユニットの冷却ムラが発生してしまう。この結果、最終的に投写面に投写される映像の表示ムラが生じてしまう。
【０００７】
そこで、本発明は、上述した課題を解決するためになされたものであり、複数の光源ユニットから出射される同種類の色成分光を合成する場合において、投写面に投写される映像の表示ムラを抑制することを可能とする投写型映像表示装置を提供することを目的とする。
【課題を解決するための手段】
【０００８】
第１の特徴に係る投写型映像表示装置（投写型映像表示装置１００）は、同種類の色成分光を出射する複数の光源ユニット（光源ユニット１０）と、前記複数の光源ユニットから出射された同種類の色成分光を合成する色合成部（合成部１３０）と、前記色合成部によって合成される光を変調する光変調素子（例えば、ＤＭＤ７０）と、前記光変調素子によって変調された光を投写面上に投写する投写ユニット（投写ユニット８０）とを有する。投写型映像表示装置は、前記複数の光源ユニットのそれぞれを冷却する冷却ユニット（冷却ユニット２００）と、前記複数の光源ユニットのそれぞれの温度を検出する複数の検出部（検出部２５０）と、前記複数の検出部によって検出された温度に基づいて、前記冷却ユニットの冷却能力を制御する制御部（制御部３００）とを備える。前記複数の光源ユニットは、少なくとも、第１光源ユニット（例えば、第１光源ユニット１０Ａ）及び第２光源ユニット（例えば、第２光源ユニット１０Ｂ）を含む。前記第１光源ユニットの光学構成は、前記第２光源ユニットの光学構成と異なっている。
【０００９】
第１の特徴において、前記第１光源ユニットは、第１光源（光源１２Ａ）と、前記第１光源から出射される光を集光するレンズ（レンズ１３Ａ）とを有する。前記第２光源ユニットは、第２光源（光源１２Ｂ）と、前記第２光源から出射される光を集光するレンズ（レンズ１３Ｂ）とに加えて、第１偏光成分を第２偏光成分に変換する位相差板（１／２λ板１５）を有する。前記色合成部は、前記第１偏光成分を反射して、前記第２偏光成分を透過する第１偏光ミラー（偏光ミラー１３１）、又は、前記第２偏光成分を反射して、前記第１偏光成分を透過する第２偏光ミラー（偏光ミラー１３１）を有する。
【００１０】
第１の特徴において、前記冷却ユニットは、前記複数の光源ユニットのそれぞれに冷却風を供給する冷却ファンを有する。前記制御部は、前記複数の光源ユニットのそれぞれに供給される冷却風の風量を制御する。
【００１１】
第１の特徴において、前記制御部は、前記複数の検出部の検出結果が等しくなるように、前記冷却風の風量を制御する。
【００１２】
第１の特徴において、前記冷却ファンは、複数の壁体によって構成される筐体内に配置される。前記複数の壁体のうち、前記色合成部によって合成される光が出射される側に設けられる壁体には、前記冷却ファンによって供給される冷却風の吸気口及び前記冷却ファンによって供給される冷却風の排気口のうち、少なくともいずれか一方を構成する開口が設けられる。
【発明の効果】
【００１３】
本発明によれば、複数の光源ユニットから出射される同種類の色成分光を合成する場合において、投写面に投写される映像の表示ムラを抑制することを可能とする投写型映像表示装置を提供することができる。
【図面の簡単な説明】
【００１４】
【図１】図１は、第１実施形態に係る投写型映像表示装置１００を示す図である。
【図２】図２は、第１実施形態に係るカラーホイール３０を示す図である。
【図３】図３は、第１実施形態に係る光源ユニット１０を示す図である。
【図４】図４は、第１実施形態に係る光源ユニット１０を示す図である。
【図５】図５は、第１実施形態に係る光束の重畳を示す図である。
【図６】図６は、第１実施形態に係る冷却構成を示す図である。
【図７】図７は、第１実施形態に係る冷却構成を示す図である。
【図８】図８は、第１実施形態に係る投写型映像表示装置１００を示すブロック図である。
【図９】図９は、変更例１に係る冷却構成を示す図である。
【図１０】図１０は、変更例２に係る光源ユニット１０を示す図である。
【図１１】図１１は、変更例３に係る光源ユニット１０を示す図である。
【発明を実施するための形態】
【００１５】
以下において、本発明の実施形態に係る投写型映像表示装置について、図面を参照しながら説明する。なお、以下の図面の記載において、同一又は類似の部分には、同一又は類似の符号を付している。
【００１６】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１７】
［実施形態の概要］
実施形態に係る投写型映像表示装置は、同種類の色成分光を出射する複数の光源ユニットと、前記複数の光源ユニットから出射された同種類の色成分光を合成する色合成部と、前記色合成部によって合成される光を変調する光変調素子と、前記光変調素子によって変調された光を投写面上に投写する投写ユニットとを有する。投写型映像表示装置は、前記複数の光源ユニットのそれぞれを冷却する冷却ユニットと、前記複数の光源ユニットのそれぞれの温度を検出する複数の検出部と、前記複数の検出部によって検出された温度に基づいて、前記冷却ユニットの冷却能力を制御する制御部とを備える。前記複数の光源ユニットは、少なくとも、第１光源ユニット及び第２光源ユニットを含む。前記第１光源ユニットの光学構成は、前記第２光源ユニットの光学構成と異なっている。
【００１８】
実施形態によれば、制御部は、複数の検出部によって検出された温度に基づいて、冷却ユニットの冷却能力を制御する。従って、複数の光源ユニットから出射される同種類の色成分光を合成する場合において、投写面に投写される映像の表示ムラを抑制する。
【００１９】
なお、実施形態では、複数の光源ユニットから同種類の色成分光が出射されるにもかかわらずに、各光源ユニットに対する冷却能力が個別に制御されていることに留意すべきである。
【００２０】
［第１実施形態］
（投写型映像表示装置）
以下において、第１実施形態に係る投写型映像表示装置について、図面を参照しながら説明する。図１は、第１実施形態に係る投写型映像表示装置１００を示す図である。なお、第１実施形態では、基準映像光として、赤成分光Ｒ、緑成分光Ｇ及び青成分光Ｂを用いるケースについて例示する。
【００２１】
図１に示すように、投写型映像表示装置１００は、光源ユニット１０と、ダイクロイックミラー２０と、カラーホイール３０と、ダイクロイックミラー４０と、ロッドインテグレータ５０と、折り返しミラー６０と、ＤＭＤ７０と、投写ユニット８０とを有する。
【００２２】
光源ユニット１０は、励起光を出射する。第１実施形態では、光源ユニット１０は、青成分光Ｂを出射する。なお、青成分光Ｂは、基準映像光として用いられるとともに、赤成分光Ｒ及び緑成分光Ｇの励起光としても用いられる。光源ユニット１０に設けられる光源は、例えば、ＬＤ（Ｌａｓｅｒ  Ｄｉｏｄｅ）やＬＥＤ（Ｌｉｇｈｔ  Ｅｍｉｔｔｉｎｇ  Ｄｉｏｄｅ）などである。なお、光源ユニット１０の詳細については後述する（図３及び図４を参照）。
【００２３】
ダイクロイックミラー２０は、青成分光Ｂ（励起光）を透過する。また、ダイクロイックミラー２０は、カラーホイール３０で発光した赤成分光Ｒ及び緑成分光Ｇを反射する。
【００２４】
カラーホイール３０は、励起光（青成分光Ｂ）の光軸に沿って延びる回転軸Ｘを中心として回転するように構成される。カラーホイール３０は、励起光（青成分光Ｂ）の光路上に設けられる。カラーホイール３０は、赤成分光Ｒ及び緑成分光Ｇを反射して、青成分光Ｂを透過する。
【００２５】
具体的には、図２に示すように、カラーホイール３０は、赤領域膜３１Ｒと、緑領域膜３１Ｇと、青領域３１Ｂと、ミラー膜３２とを有する。また、カラーホイール３０の本体は、例えば、ガラス板などによって構成される。なお、図２は、カラーホイール３０を光源ユニット１０側から見た図である。
【００２６】
赤領域膜３１Ｒは、光源ユニット１０から出射される青成分光Ｂ（励起光）に応じて赤成分光Ｒを発光する発光体Ｒを有する。発光体Ｒは、蛍光体或いは燐光体である。赤領域膜３１Ｒは、回転軸Ｘを中心とする円環領域のうち、所定の中心角度θＲを有する領域である。なお、赤領域膜３１Ｒは、カラーホイール３０の回転中において、青成分光Ｂ（励起光）が照射されるべき領域であることは勿論である。言い換えると、赤領域膜３１Ｒ上には、レンズ１１１によって青成分光Ｂが集光される。
【００２７】
緑領域膜３１Ｇは、光源ユニット１０から出射される青成分光Ｂ（励起光）に応じて緑成分光Ｇを発光する発光体Ｇを有する。発光体Ｇは、蛍光体或いは燐光体である。緑領域膜３１Ｇは、回転軸Ｘを中心とする円環領域のうち、所定の中心角度θＧを有する領域である。なお、緑領域膜３１Ｇは、カラーホイール３０の回転中において、青成分光Ｂ（励起光）が照射されるべき領域であることは勿論である。言い換えると、緑領域膜３１Ｇ上には、レンズ１１１によって青成分光Ｂが集光される。
【００２８】
青領域３１Ｂは、青成分光Ｂを透過する透明領域である。また、青領域３１Ｂは、回転軸Ｘを中心として所定の中心角θＢを有する扇形状の領域である。
【００２９】
このように、カラーホイール３０の回転に伴って、赤成分光Ｒ、緑成分光Ｇ及び青成分光Ｂが時分割で出射される。但し、赤成分光Ｒ及び緑成分光Ｇは反射され、青成分光Ｂは透過されることに留意すべきである。
【００３０】
ミラー膜３２は、青成分光Ｂ（励起光）を透過して赤成分光Ｒ及び緑成分光Ｇを反射する。ミラー膜３２は、回転軸Ｘを中心として所定の中心角θＲ＋θＧを有する扇形状の領域である。言い換えると、ミラー膜３２は、青領域３１Ｂを除いた領域である。なお、ミラー膜３２は、ダイクロイックミラー膜であってもよく、このような場合には、ホイール面の全面に設けられていてもよい。
【００３１】
図１に戻って、ダイクロイックミラー４０は、青成分光Ｂ（基準映像光）を反射する。また、ダイクロイックミラー４０は、ダイクロイックミラー２０で反射された赤成分光Ｒ及び緑成分光Ｇを透過する。
【００３２】
ロッドインテグレータ５０は、ガラスなどの透明部材によって構成される中実のロッドである。ロッドインテグレータ５０は、ロッドインテグレータ５０に入射する光を均一化する。なお、ロッドインテグレータ５０は、内壁がミラー面によって構成される中空のロッドであってもよい。
【００３３】
折り返しミラー６０は、ロッドインテグレータ５０から出射される光をＤＭＤ７０側に反射する。
【００３４】
ＤＭＤ７０は、複数の微小ミラーによって構成されており、複数の微小ミラーは可動式である。各微小ミラーは、基本的に１画素に相当する。ＤＭＤ７０は、各微小ミラーの角度を変更することによって、投写ユニット８０側に光を反射するか否かを切り替える。
【００３５】
投写ユニット８０は、ＤＭＤ７０に設けられる微小ミラーで反射された光（映像光）を投写面上に投写する。
【００３６】
なお、図１に示すように、投写型映像表示装置１００は、必要なレンズ群（レンズ１１１〜レンズ１１６）を有する。また、投写型映像表示装置１００は、必要なミラー群（ミラー１２１〜ミラー１２３）を有する。
【００３７】
第１実施形態では、照明装置は、少なくとも光源ユニット１０によって構成される。但し、照明装置は、光源ユニット１０以外にも、カラーホイール３０、ロッドインテグレータ５０、折り返しミラー６０などを含んでもよい。
【００３８】
なお、第１実施形態において、光源ユニット１０に設けられる光源の光出射方向がＸ軸方向である。また、光源ユニット１０の全体として、光源ユニット１０が光を出射する方向がＺ軸方向である。Ｘ軸方向及びＺ軸方向に垂直な方向がＹ軸方向である。
【００３９】
（光源ユニット）
以下において、第１実施形態に係る光源ユニットについて、図面を参照しながら説明する。図３及び図４は、第１実施形態に係る光源ユニット１０を示す図である。
【００４０】
図３に示すように、光源ユニット１０は、第１光源ユニット１０Ａ及び第２光源ユニット１０Ｂを有する。また、第１光源ユニット１０Ａから出射される光及び第２光源ユニット１０Ｂから出射される光を合成する合成部１３０が設けられる。
【００４１】
第１実施形態では、第１光源ユニット１０Ａ及び第２光源ユニット１０Ｂは、同種類の色成分光（青成分光Ｂ）を出射する光源ユニットである事に留意すべきである。なお、同種類とは、偏光成分、波長帯などが同様であることを意味する。また、第１光源ユニット１０Ａ及び第２光源ユニット１０Ｂは、互いに異なる構成を有する。
【００４２】
ここで、第２光源ユニット１０Ｂの光出射方向がＸ軸方向である。合成部１３０の光出射方向がＺ軸方向である。
【００４３】
第１光源ユニット１０Ａは、ヒートシンク１１Ａと、複数の光源１２Ａと、複数のレンズ１３Ａとを有する。
【００４４】
ヒートシンク１１Ａは、複数の光源１２Ａが生じる熱を放熱する金属板などである。各光源１２Ａは、青成分光Ｂを出射するＬＤやＬＥＤなどである。第１実施形態では、各光源１２Ａは、偏光ミラー１３１に対してＰ偏光の青成分光Ｂを出射する。各レンズ１３Ａは、各光源１２Ａから出射される青成分光Ｂを集光する。
【００４５】
このように、第１光源ユニット１０Ａは、第１偏光（第１実施形態では、Ｐ偏光）の青成分光Ｂを出射するように構成される。
【００４６】
なお、複数の光源１２Ａの各々は、少なくともＺ軸方向に並んでいる。また、複数の光源１２Ａの各々は、図４に示すように、Ｙ軸方向及びＺ軸方向に直線状に並んでいてもよい。すなわち、複数の光源１２Ａの各々は、Ｙ−Ｚ平面において、アレイ状に配置されてもよい。
【００４７】
第２光源ユニット１０Ｂは、ヒートシンク１１Ｂと、光源１２Ｂと、レンズ１３Ｂと、１／２λ板１５を有する。
【００４８】
ヒートシンク１１Ｂは、複数の光源１２Ｂが生じる熱を放熱する金属板などである。各光源１２Ｂは、青成分光Ｂを出射するＬＤやＬＥＤなどである。第１実施形態では、各光源１２Ｂは、偏光ミラー１３１に対してＰ偏光の青成分光Ｂを出射する。各レンズ１３Ｂは、各光源１２Ｂから出射される青成分光Ｂを集光する。
【００４９】
１／２λ板１５は、光源１２Ｂから出射される青成分光Ｂの偏光方向を９０°回転する位相差板である。第１実施形態では、１／２λ板１５は、Ｐ偏光の青成分光ＢをＳ偏光の青成分光Ｂに切り替える。
【００５０】
このように、第２光源ユニット１０Ｂは、偏光ミラー１３１に対して第２偏光（第１実施形態では、Ｓ偏光）の青成分光Ｂを出射するように構成される。
【００５１】
なお、複数の光源１２Ｂの各々は、少なくともＺ軸方向に並んでいる。また、複数の光源１２Ｂの各々は、図４に示すように、Ｙ軸方向及びＺ軸方向に直線状に並んでいてもよい。すなわち、複数の光源１２Ｂの各々は、Ｙ−Ｚ平面において、アレイ状に配置されてもよい。
【００５２】
ここで、複数の光源１２Ａ及び複数の光源１２Ｂの双方は、Ｙ軸方向に長い楕円の青成分光Ｂを出射する。従って、複数の光源１２Ａから出射される青成分光Ｂの光束及び複数の光源１２Ｂの各々から出射される青成分光Ｂが重畳される（図５を参照）。
【００５３】
合成部１３０は、複数の光源１２Ｂから出射される青成分光Ｂの光路上に設けられており、複数の光源１２Ｂの各々に対応する複数の偏光ミラー１３１を有する。
【００５４】
複数の偏光ミラー１３１の各々は、第１偏光（第１実施形態では、Ｐ偏光）の青成分光Ｂを透過して、第２偏光（第１実施形態では、Ｓ偏光）の青成分光Ｂを反射する。複数の偏光ミラー１３１の各々は、複数の光源１２Ａの各々から出射される青成分光Ｂの光束及び複数の光源１２Ｂの各々から出射される青成分光Ｂの光束を重畳する。
【００５５】
ここで、複数の偏光ミラー１３１の各々は、複数の光源１２Ｂの各々に対応しているため、少なくともＺ軸方向に並んでいる。また、複数の偏光ミラー１３１の各々は、Ｘ軸方向にシフトしている。例えば、光源１２ＢがＹ軸方向に並んでいる場合には、Ｙ軸方向に並ぶ１列の光源１２Ｂに対して、１つの偏光ミラー１３１が配置される。或いは、Ｙ軸方向に並ぶ１列の光源１２Ｂの各々に対して、複数の偏光ミラー１３１が配置されてもよい。
【００５６】
また、合成部１３０は、複数の光源１２Ａから出射される青成分光Ｂの光路上に設けられており、複数の光源１２Ａの各々に対応する複数の反射ミラー１３２を有する。
【００５７】
ここで、複数の反射ミラー１３２の各々は、複数の光源１２Ａの各々に対応しているため、少なくともＺ軸方向に並んでいる。また、複数の反射ミラー１３２の各々は、Ｘ軸方向にシフトしている。例えば、光源１２ＡがＹ軸方向に並んでいる場合には、Ｙ軸方向に並ぶ１列の光源１２Ａに対して、１つの反射ミラー１３２が配置される。或いは、Ｙ軸方向に並ぶ１列の光源１２Ａの各々に対して、複数の反射ミラー１３２が配置されてもよい。
【００５８】
第１実施形態では、複数の反射ミラー１３２の各々は、複数の光源１２Ａの各々から出射される青成分光Ｂ（Ｐ偏光）をＺ軸方向に反射する。複数の偏光ミラー１３１の各々は、複数の光源１２Ｂの各々から出射される青成分光Ｂ（Ｓ偏光）をＺ軸方向に反射する。複数の偏光ミラー１３１の各々は、複数の反射ミラー１３２の各々で反射された青成分光Ｂ（Ｐ偏光）をＺ軸方向に反射する。
【００５９】
このように、複数の偏光ミラー１３１の各々は、図５に示すように、複数の反射ミラー１３２の各々で反射された青成分光Ｂ（Ｐ偏光）の光束及び複数の光源１２Ｂの各々から出射される青成分光Ｂ（Ｓ偏光）を重畳する。
【００６０】
ここで、Ｘ軸方向における偏光ミラー１３１のシフトピッチは、Ｚ軸方向における光源１２Ｂの配置ピッチよりも狭い。同様に、Ｘ軸方向における反射ミラー１３２のシフトピッチは、Ｚ軸方向における光源１２Ａの配置ピッチよりも狭い。Ｘ軸方向における偏光ミラー１３１のシフトピッチは、Ｘ軸方向における反射ミラー１３２のシフトピッチと同様である。
【００６１】
結果として、図４及び図５に示すように、合成部１３０によって青成分光Ｂが合成される前におけるＺ軸方向の光束の間隔Ｐ（光源１２Ａや光源１２Ｂの配置ピッチ）は、合成部１３０によって青成分光Ｂが合成された後におけるＸ軸方向における光束の間隔Ｑよりも広い。
【００６２】
なお、「並ぶ」という用語は、必ずしも、一直線に並んでいることを示すものではないことに留意すべきである。すなわち、「並ぶ」という用語は、図３に示す偏光ミラー１３１や反射ミラー１３２などのように、一の方向（例えば、Ｚ軸方向）にシフトしながら、他の方向に並んでいることを含む用語である。
【００６３】
（冷却構成）
以下において、第１実施形態に係る冷却構成について、図面を参照しながら説明する。図６及び図７は、第１実施形態に係る冷却構成を説明するための図である。図６及び図７では、光源ユニット１０の冷却構成が示されていることに留意すべである。
【００６４】
図６及び図７に示すように、投写型映像表示装置１００は、光源ユニット１０を冷却するための冷却ユニット２００を有する。第１実施形態では、冷却ユニット２００が空冷装置であるケースを例示する。
【００６５】
冷却ユニット２００は、複数の冷却ファン２１０（冷却ファン２１０Ａ、冷却ファン２１０Ｂ、冷却ファン２１０Ｃ及び冷却ファン２２０Ｄ）と、複数のダクト２２０（ダクト２２０Ａ、ダクト２２０Ｂ、ダクト２２０Ｃ及びダクト２２０Ｄ）とを有する。
【００６６】
冷却ファン２１０Ａは、ダクト２２０Ａに連続しており、第１光源ユニット１０Ａ（ヒートシンク１１Ａ）を冷却するための冷却風を供給する。冷却ファン２１０Ａによって生成された冷却風は、ダクト２２０Ａを介してヒートシンク１１Ａに導かれる。
【００６７】
冷却ファン２１０Ｂは、ダクト２２０Ｂに連続しており、第２光源ユニット１０Ｂ（ヒートシンク１１Ｂ）を冷却するための冷却風を供給する。冷却ファン２１０Ｂによって生成された冷却風は、ダクト２２０Ｂを介してヒートシンク１１Ｂに導かれる。
【００６８】
冷却ファン２１０Ｃは、ダクト２２０Ｃに連続しており、第２光源ユニット１０Ｂ（レンズ１３Ｂや１／２λ板１５）を冷却するための冷却風を供給する。冷却ファン２１０Ｃによって生成された冷却風は、ダクト２２０Ｃを介してレンズ１３Ｂや１／２λ板１５に導かれる。
【００６９】
冷却ファン２２０Ｄは、ダクト２２０Ｄに連続しており、第１光源ユニット１０Ａ（レンズ１３Ａ）を冷却するための冷却風を供給する。冷却ファン２２０Ｄによって生成された冷却風は、ダクト２２０Ｄを介してレンズ１３Ａに導かれる。
【００７０】
ここで、第２光源ユニット１０Ｂには１／２λ板１５が設けられているため、第２光源ユニット１０Ｂの発熱量は、第１光源ユニット１０Ａの発熱量よりも大きいことに留意すべきである。
【００７１】
第１実施形態では、冷却ファン２２０Ｄの風量を調整することによって、第１光源ユニット１０Ａ及び第２光源ユニット１０Ｂの温度条件が同一になるように、冷却ユニット２００の冷却能力が制御される。
【００７２】
ここで、図６に示すように、投写型映像表示装置１００は、複数の光源ユニット１０のそれぞれの温度を検出する複数の検出部２５０を有する。詳細には、投写型映像表示装置１００は、第１光源ユニット１０Ａ（特に、光源１２Ａ）の温度を検出する検出部２５０Ａと、第２光源ユニット１０Ｂ（特に、光源１２Ｂ）の温度を検出する検出部２５０Ｂとを有する。
【００７３】
検出部２５０Ａは、例えば、サーミスタなどによって構成される。検出部２５０Ａは、光源１２Ａに隣接して配置されることが好ましい。第１実施形態では、検出部２５０Ａは、光源１２Ａに電力を供給する電力線を通すための開口１２ＡＯＰＥＮＩＮＧが設けられる場所に配置される。
【００７４】
検出部２５０Ｂは、例えば、サーミスタなどによって構成される。検出部２５０Ｂは、光源１２Ｂに隣接して配置されることが好ましい。第１実施形態では、検出部２５０Ｂは、光源１２Ｂに電力を供給する電力線を通すための開口１２ＢＯＰＥＮＩＮＧが設けられる場所に配置される。
【００７５】
また、図７に示すように、冷却ユニット２００は、複数の壁体によって構成される筐体２００Ｘを有しており、冷却ファン２１０及びダクト２２０は、筐体２００Ｘ内に配置される。
【００７６】
第１実施形態では、合成部１３０によって合成される光が出射される側（図７では、紙面の手前側）に設けられる壁体には、冷却ファン２１０によって供給される冷却風の吸気口及び冷却ファン２１０によって供給される冷却風の排気口のうち、少なくともいずれか一方を構成する開口が設けられる。また、筐体２００Ｘを構成する壁体は、防音部材によって構成されることが好ましい。
【００７７】
（冷却制御）
以下において、第１実施形態に係る冷却制御について、図面を参照しながら説明する。図８は、第１実施形態に係る投写型映像表示装置１００のブロック図である。
【００７８】
図８に示すように、投写型映像表示装置１００は、冷却ファン２１０、検出部２５０Ａ及び検出部２５０Ｂに加えて、投写型映像表示装置１００を制御する制御部３００を有する。
【００７９】
制御部３００は、冷却ユニット２００の冷却能力を制御する。詳細には、制御部３００は、複数の検出部２５０（検出部２５０Ａ及び検出部２５０Ｂ）によって検出された温度に基づいて、第１光源ユニット１０Ａ及び第２光源ユニット１０Ｂの温度条件が同一になるように、冷却ユニット２００の冷却能力を制御する。言い換えると、制御部３００は、複数の検出部２５０の検出結果が等しくなるように、冷却ユニット２００の冷却能力を制御する。
【００８０】
第１実施形態では、制御部３００は、冷却ファン２２０Ｄから供給される冷却風の風量を制御することによって、１／２λ板１５の発熱に起因する温度のアンバランスを調整する。言い換えると、制御部３００は、複数の検出部２５０の検出結果が等しくなるように、冷却風の風量を制御する。
【００８１】
（作用及び効果）
第１実施形態によれば、制御部３００は、複数の検出部２５０によって検出された温度に基づいて、冷却ユニット２００の冷却能力を制御する。従って、複数の光源ユニット１０から出射される同種類の色成分光を合成する場合において、投写面に投写される映像の表示ムラを抑制する。
【００８２】
なお、実施形態では、複数の複数の検出部２５０から同種類の色成分光が出射されるにもかかわらずに、各複数の検出部２５０に対する冷却能力が個別に制御されていることに留意すべきである。
【００８３】
［変更例１］
以下において、第１実施形態の変更例１について説明する。以下においては、第１実施形態に対する相違点について主として説明する。
【００８４】
具体的には、第１実施形態では、冷却ユニット２００は、冷却ファン２１０Ｃ及び冷却ファン２２０Ｄを有しており、冷却ファン２２０Ｄから供給される冷却風の制御によって、１／２λ板１５の発熱に起因する温度のアンバランスが調整される。
【００８５】
これに対して、変更例１では、冷却ユニット２００は、図９に示すように、冷却ファン２１０Ｃ及び冷却ファン２２０Ｄに替えて、冷却ファン２２０Ｅ及び可動式ダンパー２３０を有する。
【００８６】
可動式ダンパー２３０は、回動軸２３１を中心に回動する板状のフィン２３２を有する。回動軸２３１を中心として回動するフィン２３２の位置に応じて、冷却ファン２１０Ｃ及び冷却ファン２２０Ｄに導かれる冷却風の風量が調整される。
【００８７】
変更例１では、上述した制御部３００は、可動式ダンパー２３０のフィン２３２の位置を制御することによって、１／２λ板１５の発熱に起因する温度のアンバランスを調整する。
【００８８】
［変更例２］
以下において、第１実施形態の変更例２について説明する。以下においては、第１実施形態に対する相違点について主として説明する。
【００８９】
具体的には、第１実施形態では、第１光源ユニット１０Ａ及び第２光源ユニット１０Ｂが互いに対向するように配置される。これに対して、変更例２では、第１光源ユニット１０Ａ及び第２光源ユニット１０Ｂは、所定方向に沿って並んで配置される。
【００９０】
詳細には、図１０に示すように、第１光源ユニット１０Ａ及び第２光源ユニット１０Ｂは、Ｚ軸方向に沿って並んで配置される。なお、複数の偏光ミラー１３１の各々は、第１実施形態と同様に、複数の反射ミラー１３２の各々で反射された青成分光Ｂ（Ｐ偏光）の光束及び複数の光源１２Ｂの各々から出射される青成分光Ｂ（Ｓ偏光）を重畳する。
【００９１】
［変更例３］
以下において、第１実施形態の変更例３について説明する。以下においては、第１実施形態に対する相違点について主として説明する。
【００９２】
具体的には、第１実施形態では、２つの光源ユニットが互いに対向するように配置される。これに対して、変更例３では、３つの光源ユニットが設けられる。
【００９３】
詳細には、光源ユニット１０は、図１１に示すように、第１光源ユニット１０Ａと、第２光源ユニット１０Ｂ１と、第２光源ユニット１０Ｂ２とを有する。変更例３では、第１光源ユニット１０Ａは、ダイクロイックミラー２０（不図示）と対向するように配置される。第２光源ユニット１０Ｂ１及び第２光源ユニット１０Ｂ２は、互いに対向するように配置される。
【００９４】
なお、第２光源ユニット１０Ｂ１及び第２光源ユニット１０Ｂ２は、第２光源ユニット１０Ｂと同様の構成を有しており、第２偏光（第１実施形態では、Ｓ偏光）の青成分光Ｂを出射するように構成される。なお、第２光源ユニット１０Ｂ１及び第２光源ユニット１０Ｂ２の詳細については省略する。
【００９５】
合成部１３０は、偏光ミラー１３１として、複数の偏光ミラー１３１１と、複数の偏光ミラー１３１２とを有する。なお、変更例３では、合成部１３０は、反射ミラー１３２を有していない。
【００９６】
複数の偏光ミラー１３１１の各々は、複数の光源１２Ｂ１の各々から出射される青成分光Ｂの光路上に設けられており、複数の光源１２Ｂ１の各々に対応して設けられる。複数の偏光ミラー１３１１の各々は、第１偏光（第１実施形態では、Ｐ偏光）の青成分光Ｂを透過して、第２偏光（第１実施形態では、Ｓ偏光）の青成分光Ｂを反射する。複数の偏光ミラー１３１１の各々は、複数の光源１２Ａの各々から出射される青成分光Ｂの光束及び複数の光源１２Ｂ１の各々から出射される青成分光Ｂの光束を部分的に重畳する。
【００９７】
複数の偏光ミラー１３１２の各々は、複数の光源１２Ｂ２の各々から出射される青成分光Ｂの光路上に設けられており、複数の光源１２Ｂ２の各々に対応して設けられる。複数の偏光ミラー１３１２の各々は、第１偏光（第１実施形態では、Ｐ偏光）の青成分光Ｂを透過して、第２偏光（第１実施形態では、Ｓ偏光）の青成分光Ｂを反射する。複数の偏光ミラー１３１２の各々は、複数の光源１２Ａの各々から出射される青成分光Ｂの光束及び複数の光源１２Ｂ２の各々から出射される青成分光Ｂの光束を部分的に重畳する。
【００９８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９９】
実施形態では、光変調素子として、ＤＭＤ７０が例示されているが、実施形態は、これに限定されるものではない。光変調素子は、１つの液晶パネル或いは３つの液晶パネル（赤液晶パネル、緑液晶パネル及び青液晶パネル）であってもよい。液晶パネルは、透過型であってもよく、反射型であってもよい。
【０１００】
実施形態では、励起光として青成分光Ｂを用いるケースについて説明した。しかしながら、実施形態は、これに限定されるものではない。例えば、励起光として紫外成分光を用いてもよい。このようなケースでは、紫外成分光に応じて青成分光Ｂを出射する発光体が用いられる。
【０１０１】
実施形態では、第１偏光がＰ偏光であり、第２偏光がＳ偏光であるケースについて説明した。しかしながら、実施形態は、これに限定されるものではない。例えば、第２偏光がＰ偏光であり、第１偏光がＳ偏光であってもよい。このようなケースでは、光源ユニット１０の構成が変わることは勿論である。
【０１０２】
実施形態では、冷却ユニットとして、空冷方式の冷却ユニット２００を例示した。しかしながら、冷却ユニットは、液冷方式の冷却ユニットであってもよい。或いは、冷却ユニットは、ペルチェ素子であってもよい。
【０１０３】
なお、冷却ユニットとして液冷方式の冷却ユニットが用いられる場合には、制御部３００は、例えば、冷却液の温度を制御する。冷却ユニットとしてペルチェ素子が用いられる場合には、制御部３００は、例えば、ペルチェ素子に供給される電力を制御する。
【符号の説明】
【０１０４】
１０…光源ユニット、１０Ａ…第１光源ユニット、１０Ｂ…第２光源ユニット、１１Ａ…ヒートシンク、１１Ｂ…ヒートシンク、１２Ａ…光源、１２Ｂ…光源、１３Ａ…レンズ、１３Ｂ…レンズ、１５…１／２λ板、２０…ダイクロイックミラー、３０…カラーホイール、３１Ｂ…青領域、３１Ｇ…緑領域膜、３１Ｒ…赤領域膜、３２…ミラー膜、４０…ダイクロイックミラー、５０…ロッドインテグレータ、６０…ミラー、７０…ＤＭＤ、８０…投写ユニット、１００…投写型映像表示装置、１１１〜１１６…レンズ、１２１〜１２３…ミラー、１３０…合成部、１３１…偏光ミラー、１３２…反射ミラー、２００…冷却ユニット、２１０…冷却ファン、２２０…ダクト、２５０…検出部、３００…制御部
【図１】
2013045037.tif 000003
【図２】
2013045037.tif 000004
【図３】
2013045037.tif 000005
【図４】
2013045037.tif 000006
【図５】
2013045037.tif 000007
【図６】
2013045037.tif 000008
【図７】
2013045037.tif 000009
【図８】
2013045037.tif 000010
【図９】
2013045037.tif 000011
【図１０】
2013045037.tif 000012
【図１１】
2013045037.tif 000013